(57)【要約】【課題】複数の表示装置を近接して配置する場合でもスピーカの設置スペースを確保できると共に、本体部の種類が異なる場合でも同一の取付具によってスピーカを取付できる。【解決手段】液晶表示装置１は、表示画面を備えた本体部５の背面にモニタ取付具７を取り付け、モニタ取付具７の第二平面部７ｂにスピーカ取付具８を取り付けた。スピーカ取付具８にスピーカ２を取り付け、スピーカ金具８に設けた調整孔１９の長孔形状の固定孔にねじ２０を挿通してモニタ金具７の第二平面部７ｂに固定する。調整孔１９でモニタ取付具７に対するスピーカ取付具８の取り付け位置を調整することで本体部５に対するスピーカ２の突出位置を調整する。【選択図】図３
2015088820.tif 000002
【特許請求の範囲】
【請求項１】
画像を表示する表示部を備えた本体部と、
前記本体部の背面に取り付けられたモニタ取付具と、
前記モニタ取付具に取り付けられたスピーカ取付具と、
前記スピーカ取付具に取り付けられていて前記本体部の背面側に位置するスピーカと、
前記モニタ取付具に対する前記スピーカ取付具の取り付け位置を調整することで前記本体部に対する前記スピーカの突出位置を調整する調整部と
を備えたことを特徴とする表示装置。
【請求項２】
前記モニタ取付具は、前記スピーカ取付具を当接させて該スピーカ取付具の相対角度を規定するストッパーを設けた請求項１に記載された表示装置。
【請求項３】
前記モニタ取付具は、前記本体部の背面の左右にそれぞれ取り付けられ、
一方の前記モニタ取付具の前記ストッパーは、他方の前記モニタ取付具の前記ストッパーと、上下方向に対して反対向きに設置されている請求項２に記載された表示装置。
【請求項４】
前記モニタ取付具は、前記本体部に固定する第一取付部と、前記スピーカ取付具に固定する第二取付部と、前記第一取付部及び第二取付部を連結する連結部とを備え、前記第二取付部は第一取付部よりも前記表示部の中心側に位置している請求項１から３のいずれか１項に記載された表示装置。
【請求項５】
前記調整部は、第一の固定具を挿通させて前記モニタ取付具に結合させる長孔形状の固定孔を有している請求項１から４のいずれか１項に記載された表示装置。
【請求項６】
前記調整部は、前記固定孔とドライバーを挿通可能なドライバー挿通孔と前記ドライバーによって前記第一平面部に第二の固定具を螺合させる固定具挿通孔とを備えている請求項５に記載された表示装置。
【請求項７】
モニタ取付具とスピーカ取付具とを調整部によって連結し、
前記スピーカ取付具にスピーカを取り付けると共に、画像を表示する表示部を備えた本体部の背面に前記モニタ取付具を固定し、
前記スピーカ取付具に設けた前記スピーカの前記本体部に対する突出位置を前記調整部で調整するようにしたことを特徴とする表示装置のスピーカ取付方法。
【発明の詳細な説明】
【技術分野】
【０００１】
本発明は、表示画面等の表示部を備えた表示装置であって、例えばパブリックディスプレイ等に用いる表示装置にスピーカを取り付ける表示装置と、その表示装置にスピーカを取り付ける取付方法に関する。
【背景技術】
【０００２】
従来、液晶ディスプレイ等の表示装置にスピーカを取り付けてパブリックディスプレイ等に用いる場合、テレビ画面等の表示部を備えた本体部の側部等にスピーカを取り付けることが多い。例えば特許文献１に記載された表示装置では、表示画面を備えた本体部の前面の側部や下部、或いは上部にスピーカを設置している。
【０００３】
特許文献１に記載された表示装置において、本体部の下部にスピーカボックスを取り付ける場合、本体部の下面にスピーカボックスの筐体を当接させ、直立板と水平板からなる断面略Ｌ字形状の取付部材で本体部とスピーカボックスを連結する。即ち、取付部材の直立板を本体部と筐体の背面に当接させてそれぞれねじ止めすると共に、取付部材の水平板を筐体の取付用孔に挿入させて本体部とスピーカボックスを結合させている。
【先行技術文献】
【特許文献】
【０００４】
【特許文献１】特開２０１３−１２８６９号公報
【発明の概要】
【発明が解決しようとする課題】
【０００５】
しかしながら、複数の表示装置の本体部を互いに近接させて並べて設置する場合、スピーカを取り付けるためのスペースを確保できず、スピーカを取り付けられないことがあった。また、表示装置の背面に設けたねじ孔を利用してスピーカボックスを固定する場合、表示装置の本体部の種類によってねじ孔の位置が異なるため、スピーカボックスを固定する取付部材を本体部の種類に応じて異なるものを用意する必要があった。そのため、複数種類の取付部材を用意することはコスト高になるという欠点があった。
【０００６】
本発明は、上述した課題に鑑み、複数の表示装置を近接して配置する場合でもスピーカの設置スペースを確保できると共に、本体部の種類が異なる場合でも同一の取付具によってスピーカを取付できるようにした表示装置と表示装置のスピーカ取付方法を提供することを目的とする。
【課題を解決するための手段】
【０００７】
本発明による表示装置は、画像を表示する表示部を備えた本体部と、本体部の背面に取り付けられたモニタ取付具と、モニタ取付具に取り付けられたスピーカ取付具と、スピーカ取付具に取り付けられていて本体部の背面側に位置するスピーカと、モニタ取付具に対するスピーカ取付具の取り付け位置を調整することで本体部に対するスピーカの突出位置を調整する調整部とを備えたことを特徴とする。
【０００８】
また、本発明による表示装置のスピーカ取付方法は、モニタ取付具とスピーカ取付具とを調整部によって連結し、スピーカ取付具にスピーカを取り付けると共に、画像を表示する表示部を備えた本体部の背面にモニタ取付具を固定し、スピーカ取付具に設けたスピーカの本体部に対する突出位置を調整部で調整するようにしたことを特徴とする。
【発明の効果】
【０００９】
本発明に係る表示装置と表示装置のスピーカ組立方法によれば、モニタ取付具とスピーカ取付具によってスピーカを表示装置の本体部の背面側に取り付けるため、複数の本体部を近接する位置に設置してもスピーカが邪魔にならない。しかも、調整部によって、モニタ取付具に対するスピーカ取付具の位置を調整できるから、本体部の背面からのスピーカの突出位置を調整できると共に、本体部の種類に応じてモニタ取付具の取り付け位置がずれていてもスピーカを本体部から突出させて取り付けできる。
【図面の簡単な説明】
【００１０】
【図１】本発明の第一実施形態による液晶表示装置の前面側の斜視図である。
【図２】図１に示す液晶表示装置の背面側の斜視図である。
【図３】液晶表示装置の本体部とスピーカを示す要部平面図である。
【図４】本発明の第二実施形態による液晶表示装置の本体部の背面の一方の側縁部に取り付けたスピーカの部分斜視図である。
【図５】図４に示す本体部の他方の側縁部に取り付けたスピーカの部分斜視図である。
【図６】モニタ金具とスピーカ金具の連結工程を示す分解斜視図である。
【図７】スピーカとスピーカ金具の取付工程を示す分解斜視図である。
【図８】スピーカ金具の調整孔を通してドライバーでモニタ金具を固定する工程を示す要部斜視図である。
【図９】モニタ金具を本体部に固定する工程を示す要部斜視図である。
【発明を実施するための形態】
【００１１】
以下、本発明の実施形態による表示装置とスピーカの取付方法を図１〜図９を参照して説明する。
図１及び図２は本発明の第一実施形態における表示装置として液晶表示装置１を示す図である。例えば、大型の液晶表示装置１を単独で表示したり、或いは複数の液晶表示装置１を互いに近接して配列させて大画面の画像を表示したりする等して、多数の人が液晶表示装置１の画像を観察するパブリックディスプレイとして用いることがある。このようなパブリックディスプレイに用い得る液晶表示装置１にスピーカ２を取り付けることで多数の人が観察できる。
【００１２】
以下に、スピーカ２を取り付けた液晶表示装置１について説明する。
図１及び図２に示す液晶表示装置１は画像の表示画面３の周囲と背面の駆動部等を筐体４で囲っており、これらを液晶表示装置１の本体部５とする。本体部５の両側部の背面側にはそれぞれスピーカ２が取り付けられており、スピーカ２は例えば上下方向に延びる長板状であり、音が出力する前面２ａが本体部５の前面側に位置し、裏面２ｂが本体部背面側に位置している。また、液晶表示装置１の表示画面３側から見てスピーカ２の一部は本体部５の裏面に重なり、残りの部分が側部から外側に突出している。スピーカ２は本体部５の両側面５ａに対して直交する方向に突出しており、少なくともその幅の１／２以上が本体部５の両側面５ａから外側に突出していることが好ましい。
【００１３】
図２及び図３に示す本体部５の背面は、中央に設けた厚みの大きな凸部５ｂとその両側部に沿った厚みの比較的小さい側縁部５ｃとを備えている。本体部５の背面における両側縁部５ｃにはモニタ金具７が固定され、モニタ金具７に連結されたスピーカ金具８の自由端部にスピーカ２が固定されている。本体部５の背面の両側縁部５ｃに設けたスピーカ２は、その上下に設けた２組のモニタ金具７とスピーカ金具８によってそれぞれ固定されている。
【００１４】
そして、モニタ金具７にスピーカ金具８に設けた長孔形状の調整孔１９を取り付け、調整孔１９にねじ２０を通してモニタ金具７に位置調整可能に固定する。ねじ２０に沿ってスピーカ金具８を長手方向に位置調整することで、本体部５の両側面５ａに直交する方向に突出するスピーカ２の突出量を調整できる。
【００１５】
本第一実施形態による液晶表示装置１は上述の構成を備えているから、スピーカ２の取り付けが容易であり、パブリックディスプレイに隣接する液晶表示装置１を近接して配設してもスピーカ２は側縁部５ｃの背面側に位置するか邪魔にならず、両本体部５の間隙から音を前方にだすことができる。しかも、本体部５の種類によって、側縁部５ｃにおけるモニタ金具７のねじ１３による固定位置がずれていてもスピーカ金具８の調整孔１９によってスピーカ２の設置位置を調整できる。
【００１６】
次に、本発明の第二実施形態による液晶表示装置１とスピーカ２の取付方法について図１〜図３を含めて説明するが、第一実施形態に示す液晶表示装置１の各構成と同一部材には同一の符号を用いて説明する。
まず、液晶表示装置１における本体部５の両側縁部５ｃにスピーカ２を取り付ける各モニタ金具７とスピーカ金具８について説明する。
【００１７】
モニタ金具７は、図３及び図６に示すように、本体部５の側縁部５ｃに当接する第一平面部７ａと、スピーカ金具８に当接する第二平面部７ｂと、第一平面部７ａ及び第二平面部７ｂを連結する連結部７ｃとで略Ｚ字状に形成されている。また、第二平面部７ｂには雌ネジが切られたねじ穴１１が形成され、また第二平面部７ｂの一方の縁部にはスピーカ金具８を当接させてその角度位置を規定する起立部がストッパー部１２として直角に起立して設けられている。なお、各スピーカ２の取り付けに際し、モニタ金具７は同一のものを用いるため、図４、図５に示すように、本体部５の左右の側縁部５ｃのうち一方の側縁部５ｃに設ける場合と他方の側縁部５ｃに設ける場合とでストッパー部１２は上下方向に対して反対向きに設置されている。
そして、モニタ金具７は第一平面部７ａに設けた挿通穴を通してねじ１３によって本体部５の側縁部５ｃに螺合されて固定されている。また、モニタ金具７は、本体部５に固定した状態で、第二平面部７ｂは第一平面部７ａよりも表示画面３の中心側、即ち凸部５ｂ側に位置している。
【００１８】
図５において、スピーカ２の裏面２ｂには、スピーカ金具８を位置決め固定するための凹部１５が形成され、凹部１５内の底面にはねじ１６でスピーカ金具８を固定するための一対のねじ穴１５ａと、各ねじ穴１５ａの外側（内側でもよい）に設けた一対の位置決め用凸部１５ｂとが設けられている。
図５に示す一方のスピーカ２の裏面２ｂにおいて、凹部１５はスピーカ２の長手方向の上部に２条、下部に１条形成され、他方のスピーカ２の裏面２ｂには上部に1条、下部に２条形成されている。各スピーカ２は、上下部各１条の凹部１５にスピーカ金具８を取り付け可能とされているが、凹部１５はスピーカ２の上下部に各１条だけ設けてもよい。
なお、本実施形態において、スピーカ２を本体部５の左右両側部に設置する場合、スピーカ２を本体部５の両側縁部５ｃの上下角部近傍に４組のモニタ金具７とスピーカ金具８を設置して、各スピーカ２の上下部を固定するようにした。
【００１９】
また、図４〜図６において、スピーカ金具８は、長板部８ａと短板部８ｂとが段部８ｃを介して連結された段付きの略板状であり、長板部８ａには、スピーカ２の裏面２ｂに設けたねじ穴１５ａにねじ１６を固定するための一対の長孔１８が形成され、各長孔１８の外側には位置決め用凸部１５ｂを嵌合して位置決めする小孔１８ａが連通して形成されている。
【００２０】
また、スピーカ金具８の短板部８ｂから段部８ｃにかけて長孔形状の調整孔１９が形成されている。この調整孔１９は、短板部８ｂに形成されていてねじ２０を挿通してモニタ金具７のねじ穴１１に螺合するための長孔からなる固定孔１９ａと、段部８ｃに形成されていてドライバー２２を挿通可能な中孔部１９ｂ（ドライバー挿通孔）と、長板部８ａに形成されていてねじ１３を挿通させて本体部５の側縁部５ｃに螺合するための大孔部１９ｃ（ねじ挿通孔）とを有する３段階に拡幅された長孔を有している。また、ねじ２０は中孔部１９ｂを挿通できず、ねじ１３は中孔部１９ｂを挿通できない大きさである。
【００２１】
なお、ドライバー２２でねじ１３を挿通させる大孔部１９ｃと第一平面部７ａのねじ１３の挿通孔とは若干のずれがあり、ドライバー２２を大孔部１９ｃから中孔部１９ｂに移動させて、第一平面部７ａの挿通孔を通してねじ１３を本体部５の側縁部５ｃにねじ込むことになる。また、調整孔１９の少なくとも固定孔１９ａとねじ２０とは調整部を構成している。
【００２２】
そして、本体部５の左右の側縁部５ｃにそれぞれ取り付けたスピーカ２の上下位置にモニタ金具７の第一平面部７ａが側縁部５ｃに固定され、第二平面部７ｂにスピーカ金具８の短板部８ｂがねじ２０で固定され、スピーカ金具８の長板部８ａにスピーカ２がねじ１６で固定されている。
そのため、スピーカ金具８とスピーカ２は本体部５の側面５ａに直交する方向に配設されており、モニタ金具７の第二平面部７ｂに取り付けるスピーカ金具８は、調整孔１９における長孔形状の固定孔１９ａによって側面５ａに直交する方向に進退させて位置を調整可能であるから、本体部５の側面５ａから突出するスピーカ２の突出量を調整することができる。また、スピーカ２は本体部５の側縁部５ｃの背面側に位置するため、隣接する液晶表示装置１の本体部５の側面５ａ同士を近接する位置に取り付けてマルチディスプレイを構成することができる。しかも、隣接する液晶表示装置１の本体部５の側面５ａ同士の間隙からスピーカ２の音を前方に出力させることができる。
【００２３】
次に、本第二実施形態による液晶表示装置１におけるスピーカ２の取付方法について図６〜図９によって説明する。
液晶表示装置１にスピーカ２を取り付ける際、まず図６において、スピーカ金具８の調整孔１９における固定孔１９ａにねじ２０を通してモニタ金具７の第二平面部７ｂのねじ穴１１に螺合させて仮固定する。このとき、スピーカ金具８はモニタ金具７の第二平面部７ｂにおけるストッパー部１２に当接させてねじ２０を締め込むことで、スピーカ金具８とモニタ金具７との相互の角度位置が規定される。
【００２４】
次に、図７において、仮固定されたスピーカ金具８をスピーカ２の裏面２ｂにおける一の凹部１５に嵌め込み、一対の長孔１８の小孔１８ａにスピーカ２の位置決め用凸部１５ｂをそれぞれ嵌合させて位置決めする。この状態で、ねじ１６をスピーカ金具８の長孔１８に通してスピーカ２のねじ穴に螺合させ、スピーカ２をスピーカ金具８に仮固定する。
【００２５】
次に、図８に示すように、スピーカ２の前面２ａが液晶表示装置１の表示画面３側を向くようにして、モニタ金具７の第一平面部７ａを本体部５の側縁部５ｃに当接させ、ドライバー２２に取り付けたねじ１３をスピーカ金具８の調整孔１９の大孔部１９ｃから通して中孔部１９ｂに移動させる。次いで、図９に示すように、ドライバー２２によってねじ１３を第一平面部７ａの挿通孔を通して側縁部５ｃのねじ穴に螺合させて締め込む。
この状態で、スピーカ２の前面２ａが液晶表示装置１における本体部５の側面５ａより１／２以上突出するようにスピーカ金具８を調整孔１９の固定孔１９ａに通したねじ２０や長孔１８に通したねじ１６に沿って位置調整する。その後、各ねじ２０、１６をきつく締め込む。このような作業を、本体部５の両側部の２本のスピーカ２について上下２個所ずつ行い、スピーカ２の取り付けを完了する。
【００２６】
上述のように、本第二実施形態による液晶表示装置１とスピーカ２の取付方法によれば、モニタ金具７とスピーカ金具８によってスピーカ２を液晶表示装置１の本体部５の背面における両側縁部５ｃに取り付けて一部を外側に突出させるため、スピーカ２の音を前方に出すことができる。しかも、本実施形態による液晶表示装置１では、複数の本体部５の側縁部５ｃ同士を互いに近接する位置に設置することができて、スピーカ２が邪魔にならない上に、隣接する本体部５同士の間隙にスピーカ２が位置するため、音を前方に出すことができる。
また、スピーカ２の取付時に、モニタ金具７の第二平面部７ｂに設けたストッパー部１２にスピーカ金具８を当接させて相互の角度と位置を規定することができる。
【００２７】
しかも、スピーカ金具８に設けた調整孔１９と長孔１８によって、本体部５の種類に応じてモニタ金具７の取り付け位置がずれたとしてもスピーカ金具８の位置をその長手方向に調整可能であるから、スピーカ２を取り付け可能である。しかも、モニタ金具７を略Ｚ字状に形成したことで、スピーカ金具８に取り付けたスピーカ２を本体部５の側面５ａに近接した位置に設けて、調整孔１９とねじ２０によって本体部５の背面から側面５ａに直交する方向へのスピーカ２の突出量を調整することができる。
また、本体部５として背面に中央の凸部５ｂとその両側の側縁部５ｃとを設けて側縁部５ｃを凸部５ｂより厚みを小さく形成したことで、モニタ金具７に固定したスピーカ金具８とスピーカ２が凸部５ｂより背面側に突出しないように本体部５の奥行内に納めることができる。そのため、スピーカ２を本体部５の背面側に取り付けても液晶表示装置１の厚みが増大することがなく、薄型であり、液晶表示装置１をスタンドに設置するだけでなく、壁掛け用等にも用いることができる。
【００２８】
また、スピーカ金具８に設けた調整孔１９は内径の幅が三段階に変化する固定孔１９ａ、中孔部１９ｂ、大孔部１９ｃを設けてドライバー２２を中孔部１９ｂと大孔部１９ｃに挿通可能としたから、モニタ金具７にスピーカ金具８とスピーカ２を取り付けた状態で、モニタ金具７を本体部５の側縁部５ｃに取り付け可能であり、スピーカ２の取り付け作業が容易である。また、本体部５の側縁部５ｃに設けたモニタ金具７とスピーカ金具８によってスピーカ２の突出量を調整できるため、部品点数が少なくコストが低廉である上に、組み立て作業が容易である。
【００２９】
なお、本発明は上述の各実施形態による液晶表示装置１とそのスピーカ２の取付方法に限定されることはなく、本発明の要旨を変更しない範囲で適宜の変更や置換等が可能であり、これらはいずれも本発明に含まれる。
例えば、上述の実施形態では、液晶表示装置１の背面の両側の側縁部５ｃにスピーカ２を取り付けるようにしたが、これに代えて、上下部に厚みの薄い縁部を設けて少なくとも一方にスピーカ２を取り付けてもよい。この場合も、モニタ金具７とスピーカ金具８によってスピーカ２の取り付けと位置調整が可能である。
また、本発明は本体部５の背面に凸部５ｂを設けなくてもよく、略平板状の本体部５の背面にモニタ金具７とスピーカ金具８によってスピーカ２を取り付けてもよい。
【００３０】
なお、上述した実施形態による液晶表示装置１では、モニタ金具７の第二平面部７ｂにストッパー部１２を設けたが、必ずしもストッパー部１２は設けなくてもよい。
また、モニタ取付具とスピーカ取付具として、金具からなるモニタ金具７とスピーカ金具８を用いたが、合成樹脂等で形成してもよい。また、調整孔１９に関し、長孔の固定孔１９ａと、中孔部１９ｂ及び大孔部１９ｃとを分離して形成してもよい。
【００３１】
なお、液晶表示装置１におけるスピーカ取付方法において、スピーカ金具８にスピーカ２を取り付けた後、調整孔１９を通してドライバー２２を挿入してモニタ金具７を本体部５の側縁部５ｃに固定するようにしたが、これとは逆に先にモニタ金具７を側縁部５ｃに取り付けるようにしてもよい。或いは、モニタ金具７を本体部５の側縁部５ｃに取り付けた後に第二平面部７ｂにスピーカ金具８を取り付け、更にスピーカ金具８にスピーカ２を取り付けるようにしてもよい。
【００３２】
なお、ねじ２０は第一の固定具、ねじ１３は第二の固定具を構成し、モニタ金具７における第一平面部７ａは第一取付部、第二平面部７ｂは第二取付部を構成する。また、本発明の上述した実施形態では、表示装置として液晶表示装置１を用いて説明したが、本発明は液晶表示装置に限定されるものではなく、有機ＥＬディスプレイやプラズマディスプレイ等の各種の表示装置に適用できる。
【符号の説明】
【００３３】
１  液晶表示装置
２  スピーカ
３  表示画面
５  本体部
７  モニタ金具
７ａ  第一平面部
７ｂ  第二平面部
８  スピーカ金具
１２  ストッパー部
１３，１６、２０  ねじ
１５  凹部
１５ａ  ねじ穴
１５ｂ  位置決め用凸部
１８  長孔
１９  調整孔
１９ａ  固定孔
【図１】
2015088820.tif 000003
【図２】
2015088820.tif 000004
【図３】
2015088820.tif 000005
【図４】
2015088820.tif 000006
【図５】
2015088820.tif 000007
【図６】
2015088820.tif 000008
【図７】
2015088820.tif 000009
【図８】
2015088820.tif 000010
【図９】
2015088820.tif 000011